(57)【要約】【課題】  釣り用リールのハンドル把手において、安価な構成で第２把手を第１把手に着脱可能に装着できるようにする。【解決手段】  釣り用リールのハンドル把手９は、把手軸１８の外周側に装着される筒状部９０と、筒状部９０と一体成形される略球状の把手部９１とを有している。把手部９１は、ハンドルアーム８側に配置され外周面が略半球状に形成された第１把手９２と、ハンドルアーム８と逆側に配置され外周面が略半球状に形成された第２把手９３と、筒状部９０の先端部外周に装着固定され外周部が第２把手９３の外周部から挿入された２本のねじ部材９５によって第２把手９３を筒状部９０にねじ止め可能な円板状の取付部材９４とを有している。【選択図】      図８
2006238713.tif 000002
【特許請求の範囲】
【請求項１】
釣り用リールのハンドルアームの先端に固定された把手軸に回転自在に装着されるハンドル把手であって、
前記把手軸の外周側に装着される筒状部と、
前記筒状部の先端部外周を覆うように前記筒状部外周に回転不能に設けられ、内部に第１空間を有する第１把手と、
前記第１把手の前記ハンドルアームと逆側の位置で前記第１把手に着脱可能に装着され、内部に前記第１空間と連通する第２空間を有する第２把手と、
内周部が前記筒状部の先端部外周に装着固定され、外周部に前記第２把手の外周部から挿入されたねじ部材によって前記第２把手がねじ止め可能な取付部材と、
を備えた釣り用リールのハンドル把手。
【請求項２】
前記第２把手は、前記ハンドルアーム側と逆側の面を貫通する貫通孔をさらに有し、
前記取付部材は、外周部の前記ハンドルアーム側と逆側の面に前記貫通孔と連通し、前記ねじ部材の外周に形成された第１雄ねじ部が螺合可能な第１雌ねじ部を有している、請求項１に記載の釣り用リールのハンドル把手。
【請求項３】
前記筒状部は、先端部外周に形成された第２雄ねじ部を有し、
前記取付部材は、内周部に形成され、前記第２雄ねじ部に螺合可能な第２雌ねじ部を有している、請求項１又は２に記載の釣り用リールのハンドル把手。
【請求項４】
前記取付部材は、前記筒状部の先端部外周に接着固定されている、請求項１から３のいずれか１項に記載の釣り用リールのハンドル把手。
【請求項５】
前記取付部材は、前記筒状部に装着したときの前記ハンドルアーム側と逆側の面が、前記第１把手の前記ハンドルアームと逆側の面と面一、又は前記第１把手の前記ハンドルアームと逆側の面より前記ハンドルアーム側に位置するように形成されている、請求項１から４のいずれか１項に記載の釣り用リールのハンドル把手。
【請求項６】
前記筒状部は、前記第１把手と一体成形されている、請求項１から５のいずれか１項に記載の釣り用リールのハンドル把手。
【請求項７】
前記筒状部は、前記第１把手と別体で設けられている、請求項１から５のいずれか１項に記載の釣り用リールのハンドル把手。
【請求項８】
前記第１把手及び前記第２把手の少なくともいずれかは、金属製部材である、請求項１から７のいずれか１項に記載の釣り用リールのハンドル組立体。
【請求項９】
前記第１把手及び前記第２把手の少なくともいずれかは、合成樹脂製部材である、請求項１から７のいずれか１項に記載の釣り用リールのハンドル組立体。
【請求項１０】
前記第１把手及び前記第２把手の少なくともいずれかは、炭素繊維強化樹脂製部材である、請求項９に記載の釣り用リールのハンドル組立体。
【請求項１１】
前記釣り用リールは、スピニングリールである、請求項１から１０のいずれか１項に記載の釣り用リールのハンドル把手。
【請求項１２】
前記釣り用リールは、両軸受リールである、請求項１から１０のいずれか１項に記載の釣り用リールのハンドル把手。
【発明の詳細な説明】
【技術分野】
【０００１】
本発明は、ハンドル把手、特に、釣り用リールのハンドルアームの先端に固定された把手軸に回転自在に装着されるハンドル把手に関する。
【背景技術】
【０００２】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に固定された把手軸と、把手軸に回転自在に装着されたハンドル把手とを有している。このようなハンドル把手は、外形が全体を掌で握持可能な形状、たとえば外形が略球状になるように形成されている。
【０００３】
このようなハンドル組立体は、一般に、リール全体の軽量化を図るために、ハンドル把手の内部に空洞部を設け、中空構造にしたものが知られている（たとえば、特許文献１参照）。このようなハンドル把手は、たとえば真鍮等の金属製の部材であって、把手軸の外周側に装着される筒状部と、筒状部の外周に一体成形された略半球状の第１把手と、第１把手のハンドルアームと逆側の位置で第１把手に着脱可能に装着される略半球状の第２把手とを有している。ここでは、筒状部の先端部外周に大径となるように一体成形されたボス部に第２把手の外周部から挿入されたねじ部材を装着することにより、第２把手を第１把手に着脱可能に装着することができる。
【特許文献１】特開２００４−２３６５４１号公報
【発明の開示】
【発明が解決しようとする課題】
【０００４】
前記従来のハンドル把手は、ねじ部材を装着するためのボス部が筒状部の先端部外周に大径となるように一体成形されている。しかし、筒状部は略半球状の第１把手と一体成形されているので、たとえば筒状部と第１把手とを成型加工によって形成する場合には、筒状部の先端部に大径のボス部を形成するには複雑な形状の型を用いなければならず、このためボス部の形成が非常に困難である。そこで、ボス部を切削加工等の後加工によって形成することが考えられるが、加工に手間がかかるとともに、製作コストが増加するおそれが生じる。
【０００５】
本発明の課題は、釣り用リールのハンドル把手において、安価な構成で第２把手を第１把手に着脱可能に装着できるようにすることにある。
【課題を解決するための手段】
【０００６】
発明１に係る釣り用リールのハンドル把手は、釣り用リールのハンドルアームの先端に固定された把手軸に回転自在に装着されるハンドル把手であって、把手軸の外周側に装着される筒状部と、筒状部の先端部外周を覆うように筒状部外周に回転不能に設けられ内部に第１空間を有する第１把手と、第１把手のハンドルアームと逆側の位置で第１把手に着脱可能に装着され内部に第１空間と連通する第２空間を有する第２把手と、内周部が筒状部の先端部外周に装着固定され外周部に第２把手の外周部から挿入されたねじ部材によって第２把手がねじ止め可能な取付部材とを備えている。
【０００７】
このハンドル把手では、ねじ部材が装着される取付部材が筒状部と別体で設けられているので、従来のように筒状部の先端部外周に大径となるボス部を形成する必要がなくなる。したがって、従来のようにボス部を切削加工する必要がなくなるので、安価な構成で第２把手を第１把手に着脱可能に装着できる。
【０００８】
発明２に係るハンドル把手は、発明１のハンドル把手において、第２把手は、ハンドルアーム側と逆側の面を貫通する貫通孔をさらに有している。取付部材は、外周部のハンドルアーム側と逆側の面に貫通孔と連通し、ねじ部材の外周に形成された第１雄ねじ部が螺合可能な第１雌ねじ部を有している。この場合、たとえば１又は複数のねじ部材に対応する１又は複数の貫通孔及び第１雌ねじ部を設けることにより、第２把手の第１把手に対する着脱が容易になる。
【０００９】
発明３に係るハンドル把手は、発明１又は２のハンドル把手において、筒状部は、先端部外周に形成された第２雄ねじ部を有している。取付部材は、内周部に形成され、第２雄ねじ部に螺合可能な第２雌ねじ部を有している。この場合、取付部材の筒状部に対する着脱が容易になる。
【００１０】
発明４に係るハンドル把手は、発明１から３のいずれかのハンドル把手において、取付部材は、筒状部の先端部外周に接着固定されている。この場合、取付部材の筒状部への固定が強固になる。
【００１１】
発明５に係るハンドル把手は、発明１から４のいずれかのハンドル把手において、取付部材は、筒状部に装着したときのハンドルアーム側と逆側の面が、第１把手のハンドルアームと逆側の面と面一、又は第１把手のハンドルアームと逆側の面よりハンドルアーム側に位置するように形成されている。この場合、筒状部の先端面が第１把手のハンドルアームと逆側の面と面一、又は第１把手のハンドルアームと逆側の面よりハンドルアーム側に位置するように形成されているので、特に、筒状部と第１把手とを一体成形するときには、従来のボス部を筒状部の先端部外周に大径となるように一体成形することができないので、本発明の効果が顕著になる。
【００１２】
発明６に係るハンドル把手は、発明１から５のいずれかのハンドル把手において、筒状部は、第１把手と一体成形されている。この場合、たとえば筒状部と第１把手とを成型加工によって容易に形成できる。
【００１３】
発明７に係るハンドル把手は、発明１から５のいずれかのハンドル把手において、筒状部は、第１把手と別体で設けられている。この場合、筒状部と第１把手とを異なる材質の部材により形成することができ、たとえば筒状部を第１把手にインサート成形することによって相対回転不能に装着することができる。
【００１４】
発明８に係るハンドル把手は、発明１から７のいずれかのハンドル把手において、第１把手及び第２把手の少なくともいずれかは、金属製部材である。この場合、たとえば真鍮等の金属によって第１把手または第２把手を形成することにより、高級感のあるハンドル把手を提供できる。
【００１５】
発明９に係るハンドル把手は、発明１から７のいずれかのハンドル把手において、第１把手及び第２把手の少なくともいずれかは、合成樹脂製部材である。この場合、一般に軽量な合成樹脂によって第１把手または第２把手を形成することにより、ハンドル把手全体を軽量化できる。
【００１６】
発明１０に係るハンドル把手は、発明９のハンドル把手において、第１把手及び第２把手の少なくともいずれかは、炭素繊維強化樹脂製部材である。この場合、たとえば高強度かつ軽量な炭素繊維強化樹脂（ＣＦＲＰ）によって第１把手または第２把手を形成することにより、ハンドル把手の強度を高く維持しながら、ハンドル把手全体を軽量化できる。
【００１７】
発明１１に係るハンドル把手は、発明１から１０のいずれかのハンドル把手において、釣り用リールは、スピニングリールである。この場合、スピニングリールのハンドル把手において、安価な構成で第２把手を第１把手に着脱可能に装着できる。
【００１８】
発明１２に係るハンドル把手は、発明１から１０のいずれかのハンドル把手において、釣り用リールは、両軸受リールである。この場合、両軸受リールのハンドル把手において、安価な構成で第２把手を第１把手に着脱可能に装着できる。
【発明の効果】
【００１９】
本発明によれば、釣り用リールのハンドル把手において、ねじ部材が装着される取付部材が筒状部と別体で設けられているので、安価な構成で第２把手を第１把手に着脱可能に装着できる。
【発明を実施するための最良の形態】
【００２０】
本発明の一実施形態を採用したスピニングリールは、図１に示すように、ハンドル組立体１と、ハンドル組立体１を回転自在に支持するリール本体２と、ロータ３と、スプール４とを備えている。ハンドル組立体１は、リール本体２の両側部の一方側に交換可能に装着されており、たとえば図１ではリール本体２の右側部に装着され、図２及び図４ではリール本体２の左側部に装着されている。ロータ３は、リール本体２の前部に回転自在に支持されている。スプール４は、釣り糸を外周面に巻き取るものであり、ロータ３の前部に前後移動自在に配置されている。
【００２１】
ハンドル組立体１は、図２に示すように、後述するハンドル軸１０の先端に装着されるハンドルアーム８と、ハンドルアーム８の先端に装着されたハンドル把手９とを備えている。ハンドル把手９は、ハンドルアーム８の先端にかしめ固定された把手軸１８に回転自在に装着されている。
【００２２】
ハンドル把手９は、図５から図８に拡大して示すように、把手軸１８の外周側に装着される筒状部９０と、筒状部９０と一体成形される略球状の把手部９１とを有している。把手部９１は、ハンドルアーム８側に配置され外周面が略半球状に形成された第１把手９２と、ハンドルアーム８と逆側に配置され外周面が略半球状に形成された第２把手９３と、筒状部９０の先端部外周に装着固定され外周部が第２把手９３の後端側外周部から把手軸１８と平行になるように挿入された２本のねじ部材９５によって第２把手９３を筒状部９０にねじ止め可能な円板状の取付部材９４とを有している。
【００２３】
筒状部９０は、図５から図８に示すように、ハンドルアーム８側が開口する筒状部材である。筒状部９０は、真鍮等の金属を成型加工した後切削加工することによって把手部９１と一体成形されている。筒状部９０及び把手部９１の内周部は、図８に示すように、把手軸１８の外周部に軸受２０ａ、２０ｂを介して回転自在に支持されている。把手軸１８の基端部は、図８に示すように、ハンドルアーム８の先端にかしめ固定され、把手軸１８の先端部は、ねじ部材２０ｃにより筒状部９０及び把手部９１を抜け止めしている。なお、筒状部９０の基端部は、他の部分より大径となるようになっている。
【００２４】
筒状部９０は、図７及び図８に示すように、先端部外周に形成された第２雄ねじ部９０ａを有している。第２雄ねじ部９０ａは、筒状部９０の他の部分より小径になるように形成されており、第２雄ねじ部９０ａの基端側には、段差が形成されている。第２雄ねじ部９０ａは、取付部材９４の内周部に形成された後述する第２雌ねじ部９４ａが螺合可能に形成されている。
【００２５】
把手部９１は、図５及び図８に示すように、真鍮等の金属を成型加工した後切削加工することによって筒状部９０と一体成形され内部に第１空間９２ａを有する略半球状の第１把手９２と、真鍮等の金属を成型加工した後切削加工することによって形成され第１把手９２のハンドルアーム８と逆側の位置で第１把手９２に着脱可能に装着され内部に第１空間９２ａと連通する第２空間９３ａを有する第２把手９３とを有している。把手部９１は、図７及び図８に示すように、内周部が筒状部９０の先端部外周に装着固定され外周部に第２把手９３の後端側外周部から把手軸１８と平行になるように挿入された２本のねじ部材９５によって第２把手９３がねじ止め可能な取付部材９４をさらに有している。
【００２６】
第１把手９２及び第２把手９３は、図８に示すように、外形が滑らかに連続するように印籠係合しており、把手軸１８の軸芯に対して軸対称となる略球状に形成されている。第２把手９３の内周部後端面には、図８に示すように、ハンドルアーム８側に把手軸１８と平行になるように柱状に突出する２つのボス部９３ｂが一体成形されており、２つのボス部９３ｂには、２本のねじ部材９５が挿入可能な貫通孔９３ｃ及び貫通孔９３ｃより大径の段付凹部９３ｄがそれぞれ形成されている。貫通孔９３ｃは、ねじ部材９５の第１雄ねじ部９５ｂより大径になるように形成されており、段付凹部９３ｄには、ねじ部材９５の頭部９５ａが収納可能に形成されている。
【００２７】
取付部材９４は、図８に示すように、筒状部９０の先端部外周に装着固定される円板状の部材である。取付部材９４は、内周部に形成され筒状部９０の第２雄ねじ部９０ａに螺合可能な第２雌ねじ部９４ａと、外周部のハンドルアーム８側と逆側の面の２箇所にねじ部材９５の第１雄ねじ部９５ｂが螺合可能な第１雌ねじ部９４ｂとを有している。２つの第１雌ねじ部９４ｂは、第２把手９３の２つのボス部９３ｂにそれぞれ形成された貫通孔９３ｃに連通する位置に形成されている。取付部材９４は、第２雌ねじ部９４ａを筒状部９０の第２雄ねじ部９０ａに螺合するとともに、接着剤によって筒状部９０に固定されている。
【００２８】
このようなハンドル把手９を組み立てるには、図８に示すように、まず、筒状部９０を把手軸１８に対して回転可能に装着し、ねじ部材２０ｃによって抜け止めする。次に、筒状部９０の第２雄ねじ部９０ａに取付部材９４の第２雌ねじ部９４ａを螺合し、さらに接着固定することにより、筒状部９０に取付部材９４を固定する。次に、第１把手９２の後端面が第２把手９３の前端面を印籠係合し、第２把手９３の貫通孔９３ｃにねじ部材９５の第１雄ねじ部９５ｂを挿入する。そして、ねじ部材９５の第１雄ねじ部９５ｂを取付部材９４の第１雌ねじ部９４ｂに螺合し、ねじ部材９５の頭部９５ａが段付凹部９３ｄに接触するまでねじ込んで第２把手９３を筒状部９０に固定する。これにより、第２把手９３は、筒状部９０及び第１把手９２に対して着脱自在に装着される。
【００２９】
リール本体２は、側部に開口２ｃを有するリールボディ２ａと、リールボディ２ａから斜め上前方に一体で延びるＴ字状の竿取付脚２ｂと、リールボディ２ａの開口２ｃを閉塞するための蓋体２ｄとを有している。
【００３０】
リールボディ２ａは、図２及び図３に示すように、内部に空間を有しており、その空間内には、ロータ３をハンドル組立体１の回転に連動して回転させるロータ駆動機構５と、スプール４を前後に移動させて釣り糸を均一に巻き取るためのオシレーティング機構６とが設けられている。
【００３１】
リールボディ２ａの図２右側面には、図２に示すように、筒状のボス部１７ａが形成されている。ボス部１７ａは、後述するハンドル軸１０の図２右端を支持する軸受１６ａを収納するためにリールボディ２ａの内方に突出して形成されている。蓋体２ｄのボス部１７ａに対向する位置には、ボス部１７ｂが形成されている。ボス部１７ｂはハンドル軸１０の図２左端を支持する軸受１６ｂを収納するために蓋体２ｄの内方に突出して形成されている。ハンドル組立体１が装着された側と逆側のボス部（図２ではボス部１７ａ）は、軸カバー１９ａにより閉塞されている。ハンドル組立体１が装着された側のボス部（図２ではボス部１７ｂ）は、孔あきカバー１９ｂにより水の侵入が防止されている。軸カバー１９ａ及び孔あきカバー１９ｂは、円形の部材であり、それぞれボス部にねじ込み固定されている。
【００３２】
リールボディ２ａのボス部１７ａの前方には、図３に示すように、後述する回転伝達機構１４（図３参照）を収納するための膨出部２ｅが形成されている。膨出部２ｅは、図２下方側に向かって徐々に突出するように斜めに形成されており、膨出部２ｅの下端には、回転伝達機構１４を構成する第１軸受部２８が着脱自在に装着されている。膨出部２ｅの基端側には、リールボディ２ａの内方に突出する第２軸受部２９が形成されている。
【００３３】
ロータ駆動機構５は、図１及び図２に示すように、ハンドル組立体１が回転不能に装着されたハンドル軸１０と、ハンドル軸１０とともに回転するフェースギア１１と、このフェースギア１１に噛み合うピニオンギア１２とを有している。ハンドル軸１０の両端は、軸受１６ａ、１６ｂを介してリールボディ２ａ及び蓋体２ｄに回転自在に支持されている。この貫通孔にハンドル組立体１が回転不能にねじ込み固定されている。
【００３４】
オシレーティング機構６は、スプール４の中心部に固定されたスプール軸１５をロータ３に連動して前後方向に移動させてスプール４を同方向に移動させるための機構である。オシレーティング機構６には、回転伝達機構１４を介してハンドル組立体１の回転が伝達される。
【００３５】
オシレーティング機構６は、図１、図２及び図４に示すように、スプール軸１５の下方に配置された螺軸２１と、螺軸２１に沿って前後方向に移動するスライダ２２と、スライダ２２を案内する２本のガイド軸２４ａ、２４ｂとを有している。螺軸２１は、スプール軸１５と平行に配置されており、リールボディ２ａに回転自在に支持されている。また、螺軸２１の外周部には螺旋状の交差する溝２１ａが形成されている。
【００３６】
スライダ２２は、スライダ本体２５と、スライダ本体２５内に収納された係合部材２６とを有している。
【００３７】
スライダ本体２５は、たとえばアルミダイキャスト製であり、ガイド軸２４ａ、２４ｂが貫通するガイド孔２５ａ、２５ｂと、係合部材２６が装着される係合孔２５ｃと、スプール軸１５が回転不能に固定される装着孔２５ｄとを有している。スライダ本体２５は、ガイド軸２４ａ、２４ｂによりスプール軸１５と平行に案内される。
【００３８】
スプール軸１５の後端部は、略半円断面の装着孔２５ｄに回転不能に装着されており、たとえば図示しないビスによりスライダ本体２５に固定されている。これにより、スライダ２２の前後移動がスプール軸１５及びスプール４の前後移動に伝達される。また、スプール４がドラグ作動したときにスプール軸１５の回転を防止している。
【００３９】
係合部材２６は、係合孔２５ｃ内に回動自在に装着されており、係合部材２６の先端は、螺軸２１の溝２１ａに噛み合っている。この噛み合いにより、螺軸２１が回転すると、スライダ２２がスプール軸方向に前後に往復移動する。
【００４０】
回転伝達機構１４は、図３に示すように、膨出部２ｅの内部に収納されており、ピニオンギア１２と、連結軸３６と、連結軸３６の下端を回転自在に支持する第１軸受部２８と、連結軸３６の上端を回転自在に支持する第２軸受部２９と、第１ギア３７〜第３ギア３９とを有している。ピニオンギア１２は、ロータ駆動機構５を構成するとともに回転伝達機構１４も構成している。ピニオンギア１２は、後部にねじ歯車からなるギア部１２ｂを有しており、このギア部１２ｂがフェースギア１１に噛み合っている。
【００４１】
連結軸３６は、螺軸２１に連結可能にピニオンギア１２と食い違う軸に沿って斜めに配置された軸であり、膨出部２ｅの内部に配置されている。具体的には、連結軸３６は、ピニオンギア１２と螺軸２１とにそれぞれ軸交差角が９０度となるようにハンドル軸１０と交差する面に対して傾いて、つまりリール本体２に対して水平（左右）方向及び垂直（上下）方向に対して斜めに傾いて配置されている。このように連結軸３６を斜めに配置することで、連結軸３６を設けても、水平方向及び垂直方向のサイズをバランスよく維持した状態で、リール本体２をコンパクト化することができる。
【００４２】
第１軸受部２８は、前述したようにリールボディ２ａに形成された膨出部２ｅの下面に着脱自在に装着されており、ねじ２３により固定されている。第２軸受部２９は、前述したように膨出部２ｅの基端部からリールボディ２ａの内方に向かって突出して形成されている。第１軸受部２８及び第２軸受部２９は、連結軸３６を回転自在に支持するための軸受２８ａ、２９ａをそれぞれ有している。
【００４３】
第１ギア３７は、ピニオンギア１２のギア部１２ｂにフェースギア１１の噛み合い位置と逆側の面で噛み合うねじ歯車であり、連結軸３６に回転不能に固定されている。第２ギア３８は、ねじ歯車であり、連結軸３６に第１ギア３７と間隔を隔てて設けられている。この第２ギア３８は、連結軸３６と一体形成されている。第３ギア３９は、第２ギア３８に噛み合うねじ歯車であり、螺軸２１の前端に回転不能に固定されている。
【００４４】
第１軸受部２８は、リールボディ２ａに着脱自在に装着された蓋部材２８ｂと、蓋部材２８ｂに装着された軸受２８ａとを有している。蓋部材２８ｂは、ロータ３の円筒部３０の後端部で覆われるようにリールボディ２ａの前部に形成されたフランジ部２ｇより後方でリールボディ２ａに着脱自在に装着されている。蓋部材２８ｂの装着部分において、リールボディ２ａの底部には、第２ギア３８の最外径より大径の内周面を有する貫通孔２ｆが形成されている。この貫通孔２ｆに蓋部材２８ｂがはめ込まれる。蓋部材２８ｂは、ビス２３によりリールボディ２ａに固定されている。
【００４５】
ロータ３は、図１に示すように、円筒部３０と、円筒部３０の側方に互いに対向してそれぞれ設けられた第１ロータアーム３１及び第２ロータアーム３２とを有している。円筒部３０と第１ロータアーム３１及び第２ロータアーム３２とは一体成形されている。
【００４６】
円筒部３０の前部には前壁３３が形成されており、前壁３３の中央部にはボス３３ａが形成されている。このボス３３ａの貫通孔をピニオンギア１２の前部１２ａ及びスプール軸１５が貫通している。前壁３３の前方側にはナット３４が配置されており、このナット３４がピニオンギア１２の先端のネジ部に螺合している。ナット３４の内周部には、ナット３４をスプール軸１５に対して回転自在に支持するための軸受３５が配置されている。
【００４７】
第１ロータアーム３１及び第２ロータアーム３２の先端には、ベールアーム４４が糸巻き取り姿勢と糸開放姿勢との間で揺動自在に装着されている。ベールアーム４４は、図１及び図３に示すように、第１ロータアーム３１及び第２ロータアーム３２の先端の内側にそれぞれ揺動自在に装着された第１ベール支持部材４０及び第２ベール支持部材４２と、第１ベール支持部材４０の先端に基端が固定された固定軸を含む固定軸カバー４７と、釣り糸をスプール４に案内するラインローラ４１と、固定軸カバー４７と第２ベール支持部材４２とを連結するベール４３とを有している。第１ベール支持部材４０は、図１に示すように、第１ロータアーム３１の先端外側に揺動自在に装着されている。第２ベール支持部材４２は、第２ロータアーム３２の先端内側に揺動自在に装着されている。
【００４８】
ロータ３の円筒部３０の内部にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪がリールボディ２ａに固定され、内輪がピニオンギア１２に回転不能に装着されている。操作機構５２は、リールボディ２ａの後部に配置された操作レバー５３を有しており、操作レバー５３を揺動させることでワンウェイクラッチが２つの状態に切り換られ、作動状態のときにロータ３が逆転不能になり、非作動状態のときロータ３が逆転可能になる。
【００４９】
スプール４は、ロータ３の第１ロータアーム３１と第２ロータアーム３２との間に配置されており、スプール軸１５の先端にドラグ機構６０を介して固定されている。スプール４は、外周に釣り糸が巻き付けられる糸巻胴部４ａと、糸巻胴部４ａの後部に一体で形成されたスカート部４ｂと、糸巻胴部４ａの前部に固定された前フランジ部４ｃとを有している。糸巻胴部４ａはロータ３の円筒部３０の外周側まで延びる円筒状の部材である。また、スカート部４ｂ及び前フランジ部４ｃは、糸巻胴部４ａの両端から垂直に径方向外方に拡がっている。これにより、釣り糸がスプール４の糸巻胴部４ａに巻き付けられるとき、各糸巻段での釣り糸の巻数が略等しくなる。
【００５０】
次に、リールの操作及び動作について説明する。
このスピニングリールでは、キャスティング時には、ベールアーム４４を糸巻き取り姿勢から糸開放姿勢に倒す。これにより第１ベール支持部材４０及び第２ベール支持部材４２は、同方向に揺動する。
【００５１】
釣り糸巻き取り時には、ベールアーム４４を糸巻き取り姿勢に倒す。これは、ハンドル組立体１を糸巻き取り方向に回転させると図示しないカムとバネの働きにより自動的に行われる。ハンドル組立体１を糸巻き取り方向に回転させると、この回転力はハンドル軸１０及びフェースギア１１を介してピニオンギア１２に伝達される。このピニオンギア１２に伝達された回転力は、ピニオンギア１２前部１２ａを介してロータ３に伝達され、ロータ３が糸巻き取り方向に回転する。
【００５２】
このようにハンドル組立体１を回転させるとき、特に、ジギングを行う際には、ハンドル把手９全体を掌で強く握持する。ここでは、ハンドル把手９は、把手部９１の外周面が略球状に形成されているので、ハンドル把手９全体を掌で強く握持することができる。
【００５３】
また、このようなハンドル把手９は、第１把手９２及び第２把手９３の内部に、それぞれ第１空間９２ａ及び第２空間９３ａが形成されているので、ハンドル把手９全体を軽量化することができる。さらに、ここでは、ねじ部材９５が装着される取付部材９４が、筒状部９０と別体で設けられているので、従来のように筒状部９０の先端部外周に大径となるボス部を切削加工する必要がなくなるので、安価な構成で第２把手９３を第１把手９２に着脱可能に装着することができる。
【００５４】
〔他の実施形態〕
（ａ）  スピニングリールの形態は、前記実施形態に限定されるものではなく、ドラグ機構を有さないものや後部に有するものや、逆転防止機構に代えてブレーキレバーを有する制動機構を装着したものにも本発明を適用できる。また、スピニングリールだけでなく、ロープロファイル型のベイトリールや図９に示す丸型の両軸受リールのハンドルに対して本発明を適用できる。
【００５５】
本発明の他の実施形態を採用した両軸受リールは、図９に示すように、シングルハンドルタイプの丸型リールであり、リール本体１０１と、リール本体１０１の側方に配置されたスプール回転用のハンドル組立体１０２と、ハンドル組立体１０２のリール本体１０１側に配置されたスタードラグ１０３とを備えている。
【００５６】
リール本体１０１には、釣り糸を巻き取りあるいは繰り出すためのスプール１１５が回転自在に装着され、竿取付脚１０４を介して釣竿に取り付けられている。リール本体１０１は、所定の間隔をあけて配置された左右１対の第１側板１１０及び第２側板１１１と第１側板１１０及び第２側板１１１を連結する複数の連結部材１１２とを有するフレーム１０５と、フレーム１０５の両側方に装着された第１側カバー１１３及び第２側カバー１１４と、第２側カバー１１４に装着された機構装着板１１６とを有している。
【００５７】
ハンドル組立体１０２は、図示しないハンドル軸の先端に回転不能に装着されたハンドルアーム１０８と、ハンドルアーム１０８の先端にかしめ固定された把手軸１１８と、把手軸１１８に回転自在に装着されたハンドル把手１０９とを有している。
【００５８】
ハンドル把手１０９は、把手軸１１８の外周側に装着される筒状部１９０と、筒状部１９０と一体成形される略球状の把手部１９１とを有している。把手部１９１は、ハンドルアーム１０８側に配置され外周面が略半球状に形成された第１把手１９２と、ハンドルアーム１０８と逆側に配置され外周面が略半球状に形成された第２把手１９３と、筒状部１９０の先端部外周に装着固定され外周部に第２把手１９３の外周部から挿入された２本のねじ部材１９５によって第２把手１９３を筒状部１９０にねじ止め可能な円板状の取付部材１９４とを有している。
【００５９】
ここでは、前記実施形態と同様に、ねじ部材１９５が装着される取付部材１９４が、筒状部１９０と別体で設けられているので、安価な構成で第２把手１９３を第１把手１９２に着脱可能に装着できる。
【００６０】
（ｂ）  前記実施形態では、第１把手９２は、筒状部９０と一体成形されていたが、筒状部９０と第１把手９２とを別体で形成してもよい。また、第１把手９２及び第２把手９３は真鍮等の金属を成型加工した後切削加工することによって形成されていたが、真鍮以外の金属や、金属以外の合成樹脂や、炭素繊維強化樹脂（ＣＦＲＰ）等により第１把手９２及び第２把手９３を形成してもよい。また、第１把手９２及び第２把手９３は、真鍮等の金属を成型加工した後切削加工することに限定されるものではなく、真鍮等の金属を切削加工のみで形成してもよい。
【００６１】
（ｃ）  前記実施形態では、取付部材９４は、第２雌ねじ部９４ａを筒状部９０の第２雄ねじ部９０ａに螺合して筒状部９０に固定していたが、図１０に示すように、取付部材９４の内周部９４ｃを筒状部９０先端部の外周部９０ｂに圧接して取付部材９４を筒状部９０に固定するようにしてもよい。また、取付部材９４の内周部９４ｃを筒状部９０先端部の外周部９０ｂに圧接する際に接着剤を塗布してもよいし、単に接着剤のみで取付部材９４を筒状部９０に対して固定するようにしてもよい。
【００６２】
（ｄ）  前記実施形態では、取付部材９４は、第２把手９３の後端側外周部から把手軸１８と平行になるように挿入された２本のねじ部材９５によって第２把手９３を外周部後面に固定していたが、ねじ部材９５の装着位置や装着方向はこれに限定されるものではなく、たとえば第２把手９３の前端側外周部から把手軸１８と垂直になるように挿入された２本のねじ部材９５によって第２把手９３を取付部材９４の外周面に固定するようにしてもよい。
【図面の簡単な説明】
【００６３】
【図１】本発明の一実施形態を採用したスピニングリールの側面断面図。
【図２】図１のＩＩ−ＩＩ断面図。
【図３】図１のＩＩＩ−ＩＩＩ断面図。
【図４】ハンドル軸周辺の断面図。
【図５】ハンドル把手の拡大側面図。
【図６】前記ハンドル把手の正面図。
【図７】前記ハンドル把手の背面図。
【図８】前記ハンドル把手の側面断面図。
【図９】他の実施形態を採用した両軸受リールの斜視図。
【図１０】他の実施形態の図８に相当する図。
【符号の説明】
【００６４】
１  ハンドル組立体
２  リール本体
７  ハンドル軸部
８  ハンドルアーム
９  ハンドル把手
１０  ハンドル軸
１８  把手軸
９０  筒状部
９０ａ  第２雄ねじ部
９０ｂ  外周部
９１  把手部
９２  第１把手
９２ａ  第１空間
９３  第２把手
９３ａ  第２空間
９３ｂ  ボス部
９３ｃ  貫通孔
９３ｄ  段付凹部
９４  取付部材
９４ａ  第２雌ねじ部
９４ｂ  第１雌ねじ部
９４ｃ  内周部
９５  ねじ部材
９５ａ  頭部
９５ｂ  第１雄ねじ部
【図１】
2006238713.tif 000003
【図２】
2006238713.tif 000004
【図３】
2006238713.tif 000005
【図４】
2006238713.tif 000006
【図５】
2006238713.tif 000007
【図６】
2006238713.tif 000008
【図７】
2006238713.tif 000009
【図８】
2006238713.tif 000010
【図９】
2006238713.tif 000011
【図１０】
2006238713.tif 000012